(57)【要約】【課題】  商用交流電源電圧波形が歪んだり、ノイズ成分等により、従来方式のゼロクロス信号がゼロクロス誤検知する場合でも安定したゼロクロス信号を出力する。【解決手段】  第一の基準電圧と商用交流電圧を比較し第一パルス信号を発生する。第一の基準電圧よりも大きな第二の基準電圧と商用交流電圧を比較し第二パルス信号を発生する。第一パルス信号と第二パルス信号より、商用交流電源電圧に歪みが少なくきちんとゼロクロスしているかどうか判断し、商用交流電源の周期を検出する。検出された周期を有する第三パルス信号を発生させ、第一パルス信号と第三パルス信号を同期させる事で、同期ゼロクロス信号を生成する。【選択図】  図１
2005168163.tif 000002
【特許請求の範囲】
【請求項１】
商用交流電源のゼロクロス点を検出しゼロクロス信号を出力するゼロクロス信号発生装置において、第一の基準電圧と商用交流電圧を比較し第一パルス信号を発生する第一比較手段と、前記第一の基準電圧よりも大きな第二の基準電圧と商用交流電圧を比較し第二パルス信号を発生する第二比較手段と、前期第一パルス信号と第二パルス信号に基づき商用交流電源電圧に歪みが少なくきちんとゼロクロスしているか判断し、きちんとゼロクロスしている期間に商用交流電源の周期（周波数）を検出する周期検出手段と、前記周期検出手段で検出された商用交流電源の周期と同じ周期を有する第三パルス信号を発生するパルス信号生成手段と、前記第一パルス信号と前記第三パルス信号の位相差が所定値以下になるように第三パルス信号の位相を調整する同期手段と、位相調整された第三パルス信号に基づき同期ゼロクロス信号を生成する同期ゼロクロス信号生成手段とを有し、同期ゼロクロス信号をゼロクロス信号として出力する事を特徴としたゼロクロス信号発生装置。
【請求項２】
前記第二比較手段は時定数を有しており、商用交流電源電圧の短時間の変動には応答しない構成となっている事を特徴とする請求項１に記載のゼロクロス信号発生装置。
【請求項３】
前記同期手段は所定のタイミングで同期動作を実施し、その際、所定パルス数にわたり、前記第一パルス信号と前記第三パルス信号の位相差が所定値以下の場合、同期完了と判断する事を特徴とする請求項１から２に記載のゼロクロス信号発生装置。
【請求項４】
前記同期ゼロクロス信号をカウントするカウント手段を有し、そのカウント値が所定値に達したら、前記周波数検出動作、前記同期動作を再度実施し、同期ゼロクロス信号を更新する事を特徴とした請求項１から３に記載のゼロクロス信号発生装置。
【請求項５】
外部より更新信号が入力された際は、前記周波数検出動作、前記同期動作を再度実施し、同期ゼロクロス信号を更新する事を特徴とした請求項１から３に記載のゼロクロス信号発生装置。
【請求項６】
出力信号選択手段を有し、前記周波数検出手段において、第一パルス信号の誤検知頻度をモニタし、誤検知発生頻度が所定値より低い場合は前記第一パルスをゼロクロス信号として選択し、誤検知頻度が所定値より高い場合は、前記同期ゼロクロス信号をゼロクロス信号として選択し、選択した信号をゼロクロス信号として出力する事を特徴とした請求項１から５に記載のゼロクロス信号発生装置。
【請求項７】
出力信号選択手段を有し、かつ前記同期ゼロクロス信号が示すゼロクロスポイント近傍以外はマスクされていて、前記同期ゼロクロス信号が示すゼロクロスポイント近傍において、前記第一パルス信号と前記同期ゼロクロス信号のどちらか先にゼロクロス信号を出力した方をゼロクロス信号として選択し出力する事を特徴とした請求項１から５に記載のゼロクロス信号発生装置。
【発明の詳細な説明】
【技術分野】
【０００１】
商用交流電源のゼロクロス点を検出しゼロクロス信号を発生させるゼロクロス信号発生装置に関する。
【背景技術】
【０００２】
ヒータの電力制御やランプの光量制御等、商用交流電源を入力とし、その導通時間を制御する機器には位相制御が多用されている(例えば、特許文献1参照)。
【０００３】
この場合、サイリスタやトライアック、ソリッドステートリレーのスイッチ素子を用い、商用交流電源のゼロクロス点を基準に前記スイッチ素子のオンタイミングを決定するのが一般的である。
【０００４】
図１２に一般的な位相制御手法を示す。
【０００５】
図１２の(a)が商用交流電圧波形であり、図１２中V1が基準電圧である。基準電圧Ｖ１は０Ｖ近傍に設定されていて、この基準電圧Ｖ１と商用交流電圧を比較し、商用交流電圧の絶対値が基準電圧Ｖ１を下回る期間のみＨｉとなる信号が(b)ゼロクロス信号である。そして、この(b)ゼロクロス信号の立ち上がりを基準とし、(e)駆動信号が生成される。
【０００６】
図１３に(e)駆動信号の生成手法を示す。
【０００７】
図１３中(i)がタイマー出力（カウント値）を示す。タイマーは(b)ゼロクロス信号の立ち上がりで動作を開始し、次の立ち上がりでリセットされる構成となっている。
【０００８】
そして、(k)が制御値である。制御値は機器のフィードバック制御により位相角制御の導通時間を決定する値である。(i)タイマー出力と(k)制御値は比較され、(i)タイマー出力が(k)制御値に達した時点で(e)駆動信号がＨｉとなりスイッチ手段がオンされる。その結果、図１２の(f)に示したような電流が負荷に流れるのである。機器の制御により導通時間を広げる場合は(k)制御値が小さくなり、逆に導通時間を狭める場合は(k)制御値が大きくなる。いずれにしても、(b)ゼロクロス信号の立ち上がりタイミングが基準となっており、このタイミングよりどの位の時間を遅らせてスイッチ手段をオンさせるかと言う制御がなされている。
【特許文献１】特開平10-115997号公報
【発明の開示】
【発明が解決しようとする課題】
【０００９】
しかしながら、スイッチ手段のオンタイミングは(b)ゼロクロス信号の立ち上がりタイミングを基準として決定されているため、交流電圧波形が歪んだりノイズ成分が増加したりするとゼロクロス信号の立ち上がりタイミングが早まったり、遅まったり、１度のゼロクロスでゼロクロス信号が複数パルス化したり、またゼロクロスとは全く関係の無いタイミングでゼロクロス信号出力されたりと、位相制御が不安定になると言う問題が有った。
【００１０】
図１４にノイズ成分を含んだ交流電圧波形の一例を示す。図１４の(a)の様な交流電圧波形に対し、図１２と同じ構成でゼロクロス信号を生成すると図１４(b)ゼロクロス信号の様に本来のゼロクロスポイントとは別に余計なパルスが出力されてしまう。  この図１４(b)ゼロクロス信号を元に駆動信号を生成しようとすると、図１５の様に(i)タイマー出力が(k)制御値に達する前によけいなパルスによりリセットされ、その後、さらに(k)制御値に達する前に次の真のゼロクロス信号によりリセットされてしまい、結果として、この様なノイズ成分が含まれている期間は(e)駆動信号が発生せず、負荷に全く電流が流れないと言う現象が発生してしまう。
【課題を解決するための手段】
【００１１】
本発明は上述した課題を解決することを目的としてなされたもので、上述した課題を解決し、商用交流電源電圧が歪んだりノイズ成分を含んだ場合でも安定したゼロクロス信号を出力するゼロクロス信号を発生するゼロクロス信号発生装置を提供することにある。
【００１２】
係る目的を達成する一手段として例えば以下の構成を備えるものである。
【００１３】
請求項１に於いては、商用交流電源のゼロクロス点を検出しゼロクロス信号を出力するゼロクロス信号発生装置において、第一の基準電圧と商用交流電圧を比較し第一パルス信号を発生する第一比較手段と、前記第一の基準電圧よりも大きな第二の基準電圧と商用交流電圧を比較し第二パルス信号を発生する第二比較手段と、前期第一パルス信号と第二パルス信号に基づき商用交流電源電圧に歪みが少なくきちんとゼロクロスしているか判断し、きちんとゼロクロスしている期間に商用交流電源の周期（周波数）を検出する周期検出手段と、前記周期検出手段で検出された商用交流電源の周期と同じ周期を有する第三パルス信号を発生するパルス信号生成手段と、前記第一パルス信号と前記第三パルス信号の位相差が所定値以下になるように第三パルス信号の位相を調整する同期手段と、位相調整された第三パルス信号に基づき同期ゼロクロス信号を生成する同期ゼロクロス信号生成手段とを有し、同期ゼロクロス信号をゼロクロス信号として出力する事を特徴とする。
【００１４】
請求項２に於いては、第二比較手段は時定数を有しており、商用交流電源電圧の短時間の変動には応答しない構成となっている事を特徴とする。
【００１５】
請求項３に於いては、同期手段は所定のタイミングで同期動作を実施し、その際、所定パルス数にわたり、前記第一パルス信号と前記第三パルス信号の位相差が所定値以下の場合、同期完了と判断する事を特徴とする。
【００１６】
請求項４に於いては、前記同期ゼロクロス信号をカウントするカウント手段を有し、そのカウント値が所定値に達したら、前記周波数検出動作、前記同期動作を再度実施し、同期ゼロクロス信号を更新する事を特徴とする。
【００１７】
請求項５に於いては、外部より更新信号が入力された際は、前記周波数検出動作、前記同期動作を再度実施し、同期ゼロクロス信号を更新する事を特徴する。
【００１８】
請求項６に於いては、出力信号選択手段を有し、前記周波数検出手段において、第一パルス信号の誤検知頻度をモニタし、誤検知発生頻度が所定値より低い場合は前記第一パルスをゼロクロス信号として選択し、誤検知頻度が所定値より高い場合は、前記同期ゼロクロス信号をゼロクロス信号として選択し、選択した信号をゼロクロス信号として出力する事を特徴とする。
【００１９】
請求項７に於いては、出力信号選択手段を有し、かつ前記同期ゼロクロス信号が示すゼロクロスポイント近傍以外はマスクされていて、前記同期ゼロクロス信号が示すゼロクロスポイント近傍において、前記第一パルス信号と前記同期ゼロクロス信号のどちらか先にゼロクロス信号を出力した方をゼロクロス信号として選択し出力する事を特徴する。
【発明の効果】
【００２０】
以上のように、本発明によれば、商用交流電源電圧に歪みやノイズが少ない状況で商用交流電源電圧の周期を検知し、検知した周期に基づくパルス信号を生成する。さらに、このパルス信号を従来方式の商用交流電圧と基準電圧の比較によって生成されたゼロクロス信号に同期させ、同期ゼロクロス信号を生成する。そして、この同期ゼロクロス信号を本ゼロクロス信号発生装置の出力として出力する事で、商用交流電源の歪みやノイズ等により従来方式ではゼロクロス信号の誤検知が有るような場合に於いても、安定したゼロクロス信号を提供する事が可能なゼロクロス信号発生装置が実現可能となるのである。
【００２１】
さらに、従来方式によるゼロクロス信号と本ゼロクロス信号発生装置内で生成した同期ゼロクロス信号を選択し出力する事で、商用交流電源の周波数変動により、真のゼロクロスポイントは常に一定ではなく変化した場合でもリアルタイム応答し、かつ安定的なゼロクロス信号を提供する事が可能となる。
【００２２】
また、従来方式によるゼロクロス信号の誤検知状況に応じて従来方式によるゼロクロス信号と本ゼロクロス信号発生装置内で生成した同期ゼロクロス信号を切り替える事で、商用交流電源の周波数の安定度等により、真のゼロクロスポイントは常に一定ではなく変化した場合でも、商用交流電源電圧が歪みやノイズ成分の少ない期間は上記周波数変動に対しリアルタイムで応答する事ができ、かつ、商用交流電源電圧が歪みやノイズ成分の多い期間は安定したゼロクロス信号の提供が可能となる。
【発明を実施するための最良の形態】
【００２３】
以下、図面を参照して本発明の実施形態を説明する。
【００２４】
なお、以下では前述の従来例の図１２、１３、１４、１５と同一ないし相当する部材には同一符号を付し、その説明は省略するものとする。
【実施例１】
【００２５】
図１〜８は本発明の第一の実施形態を示した図である。
【００２６】
図１〜８に於いて前述の従来例の図１２〜１５と同一ないし相当する部材には同一符号を付し、その説明は省略するものとする。
【００２７】
図１は本発明のゼロクロス信号発生装置の構成を示すブロック図である。
【００２８】
図１に於いて、符号１は商用交流電源であり、その両端にはスイッチ手段２を介して負荷３が接続されている。符号１商用交流電源Ｖａｃの両端には、ゼロクロス信号生成部１(４)とゼロクロス信号生成部２(５)が接続されており、それぞれ異なる基準電位と交流電源電圧を比較しパルス化した信号を出力している。それぞれの出力は周波数検出部６へ入力されると共に、ゼロクロス信号生成部１(４)の出力は同期部８へも出力される。
【００２９】
なお、ゼロクロス信号生成部２(５)は時定数を有しており、商用交流電源電圧の短時間の変動には応答しない構成となっている。
【００３０】
周波数検出部６はゼロクロス信号生成部１(４)とゼロクロス信号生成部２(５)からのパルス信号を元に、商用交流電源電圧に歪みやノイズが少なくきちんとゼロクロス動作が行われている期間を判断し、その期間に商用交流電源の周期を検出し周期情報をパルス信号生成部７と同期ゼロクロス信号生成部９へ出力している。パルス信号生成部７は入力された周期情報を元に、その周期のパルス信号を生成し同期部８へ出力している。同期部８はパルス信号生成部７からのパルス信号をゼロクロス信号生成部１(４)で生成された商用交流電圧波形を元にしたゼロクロス信号に同期する様に、パルス信号生成部７からのパルス信号の位相を調整している。そして両者の位相差が所定値に内に収まると同期タイミング信号を同期ゼロクロス信号生成部９にしている。
【００３１】
同期ゼロクロス信号生成部９は同期タイミング信号に基づき、同期ゼロクロス信号を生成しゼロクロス信号として出力している。図１の位相制御機器は同期ゼロクロス信号生成部９が出力する同期ゼロクロス信号をゼロクロス信号とし、この信号の立ち上がりを基準にスイッチ手段のオンタイミングを決定し位相制御を行っている。
【００３２】
図２〜７で各部の動作を説明する。
【００３３】
図２に於いて、ゼロクロス信号生成部１(４)とゼロクロス信号生成部２(５)について説明する。ゼロクロス信号生成部１(４)は従来ゼロクロス信号と呼ばれている信号と同じ信号を生成している。図２に示すように商用交流電源(a)Ｖａｃの０Ｖ付近の基準電位Ｖ１と商用交流電源(a)Ｖａｃを比較し、その結果、商用交流電圧Ｖａｃの絶対値が基準電圧Ｖ１を下回る期間のみＨｉとなる信号であり、図２(b)ゼロクロス信号１を生成している。
【００３４】
それに対しゼロクロス信号生成部２(５)は基準電位Ｖ１よりも十分大きな基準電位２と商用交流電源(a)Ｖａｃを比較し、その結果、図２(c)ゼロクロス信号２の様に商用交流電圧Ｖａｃの絶対値が基準電圧Ｖ２を下回る期間のみＨｉとなる信号を出力している。なお、基準電圧Ｖ２は、商用交流電源電圧が定格時に(c)ゼロクロス信号２がデューティー約５０％程度になるよう設定され、かつ時定数を有しておりノイズ等による商用交流電源電圧の短期間の変動には応答しない様に構成されている。
【００３５】
図３、図４は周波数検出部６の動作を説明する図である。
【００３６】
周波数検出部６は図２で示した様に図２(c)ゼロクロス信号２がＨｉの期間に、図２(b)ゼロクロス信号１が１パルスのみ出力されている状態を商用交流電源電圧に歪みやノイズがノイズが少なくきちんとゼロクロス動作が行われている期間と判断し、図３（ａ）Ｖａｃの様に商用交流電源電圧にノイズ成分等が含まれ、その結果、(b)ゼロクロス信号１の様にゼロクロスポイント以外でパルスが出力されている状態は図３（ｃ）ゼロクロス信号２がＨｉの期間に、図３(b)ゼロクロス信号１が２パルス出力されている事からきちんとゼロクロス動作が行われていないと判断する。
【００３７】
そして、きちんとゼロクロス動作が行われている期間、つまり商用交流電源電圧波形が綺麗な期間に図４で示すように、図４（ｂ）ゼロクロス信号１の所定パルス数（ｎ）、その周期を測定し、その平均値より商用交流電源の周期Ｔ（周波数ｆ）を算出する。
【００３８】
勿論、図４（ｂ）ゼロクロス信号１を所定パルス数（ｎ）カウントする期間を計測し、その計測結果から商用交流電源の周期Ｔ（周波数ｆ）を算出しても良い。
【００３９】
そして、周波数検出部６は算出した商用交流電源の周期情報を出力する。
【００４０】
図５は同期部８の動作を示す図である。
【００４１】
パルス信号生成部７は周波数検出部６からの周期情報、つまり商用交流電源と同じ周波数のパルス信号を生成し、同期部８に入力している。同期部８にはゼロクロス信号生成部１(４)で生成された商用交流電圧波形を元にしたゼロクロス信号１も入力されており、パルス信号生成部７からのパルス信号がゼロクロス信号１に同期するようにパルス信号生成部７からのパルス信号の位相を調整する。その際、ゼロクロス信号１はパルス幅が変化したり、誤ゼロクロスパルスが含まれている可能性が有るため、位相調整後、図５に示すように所定周期ｍに渡り、図５（ｄ）位相調整されたパルス信号と図５（ｃ）ゼロクロス信号１の位相差△ｔが所定値以下に収まった時、同期完了と判断し、同期完了信号と共に（ｄ）位相調整されたパルス信号を出力する。すると、同期ゼロクロス信号生成部９は位相調整されたパルス信号をトリガにして周波数検出部６からの周期情報に基づいた周期のパルス信号を生成し出力し、この信号が同期ゼロクロス信号となる。
【００４２】
同期ゼロクロス信号生成部９は、次に同期完了信号が入力されるまで同一周期、同一位相でのパルス信号を出力し続ける。その為、いったん同期が完了すれば、商用交流電電圧が歪んだり、ノイズ成分等により従来の方式で正確なゼロクロス信号が生成されなくなった場合でも常に安定した同期ゼロクロス信号が出力可能となる。
【００４３】
図１中１０は本ゼロクロス信号発生装置が内蔵された機器の制御部であり、制御部１０は同期ゼロクロス信号を基準としタイマーを作動させ、入力された制御信号に基づき、図１３に説明した手法で駆動信号を生成している。駆動信号はスイッチ手段２に供給され、負荷３へ供給される商用交流電源の導通時間をコントロールしている。
【００４４】
その結果、図６（ａ）Ｖａｃの様に商用交流電電圧が歪んだり、ノイズ成分等を含み、図６（ｂ）ゼロクロス信号１の様に、従来の方式で正確なゼロクロス信号が生成されない場合でも、図６（ｄ）同期ゼロクロス信号を基準に（ｅ）駆動信号が生成されているため負荷には安定した（ｆ）負荷電流が供給され、その結果、安定した位相制御を行う事が可能となる。
【００４５】
また、前述したように、ゼロクロス信号生成部２(５)は時定数を有しており、商用交流電源電圧の短時間の変動には応答しない構成となっている。
【００４６】
そのため、図７の（ａ）Ｖａｃの様に、基準電位Ｖ２をまたいで（ａ）Ｖａｃが短時間変化しても、ゼロクロス信号生成部２(５)の出力は図７（ｇ）ゼロクロス信号２の様にはならず、図７（ｃ）の様なパルスとなる。これにより、（ｂ）ゼロクロス信号１が誤検知していないにもかかわらず、周波数検出部６に於いて、商用交流電源電圧波形に歪みがノイズ成分が多く、きちんとしたゼロクロス動作が行われていない為（ｂ）ゼロクロス信号１が誤検知していると検知してしまう事を防止している。
【００４７】
さらに、商用交流電源の周波数は常に一定ではなく変動する可能性が有る。
【００４８】
そこで、図８に示す様に、本ゼロクロス信号発生装置が内蔵された機器の電源がオンされた際に、上記の一連の動作（商用交流電源の周期を検出＝＞検出した周期に基づくパルス信号生成＝＞パルス信号を交流電源電圧波形から得たゼロクロス信号１に同期させる＝＞同期ゼロクロス信号出力）を実施し、同期ゼロクロス信号が出力された後、この同期ゼロクロス信号のパルス数をカウントし、カウント数が所定値に達したら、更新信号を出力し、再度、上記動作を実施し、同期ゼロクロス信号の周波数と位相を更新する。
【００４９】
その際、更新信号が出力されても図８同期部が同期動作を完了し、同期完了信号を出力するまでは、同期ゼロクロス信号生成部９は現在の周波数、位相のパルス信号を出力し続ける、そして同期完了信号が出力されたタイミングで、同期ゼロクロス信号の周波数、位相を更新する。
【００５０】
これにより、安定した同期ゼロクロス信号の出力が可能となり、本ゼロクロス信号発生装置を内蔵した機器はより安定した位相制御が可能となる。
【００５１】
なお、更新信号は外部から入力されても良く、本ゼロクロス信号発生装置が内蔵された機器の状態に併せ、任意のタイミングで更新可能である。
【実施例２】
【００５２】
図９、１０は本発明の第二の実施形態を示した図である。
【００５３】
図９、１０に於いて前述の実施例１の図１〜８、及び従来例の図１２〜１５と同一ないし相当する部材には同一符号を付し、その説明は省略するものとする。
【００５４】
実施例１で説明した図１のゼロクロス信号発生装置は常にゼロクロス信号発生装置内部で生成したパルス信号をゼロクロス信号として出力していたが、本実施形態は、従来方式により商用交流電圧と基準電圧の比較によって生成されたゼロクロス信号とゼロクロス信号発生装置内部で生成された同期ゼロクロス信号とを選択的に出力し、ゼロクロス信号を出力する場合の形態である。
【００５５】
図９が本実施形態の構成を示すブロック図である。
【００５６】
同期ゼロクロス信号生成部９の出力は選択部１１に入力されている。選択部１１には、ゼロクロス信号生成部１（４）で生成された商用交流電圧と基準電圧の比較によって生成されたゼロクロス信号１も入力されている。そして、商用交流電圧のゼロクロスタイミング毎に、同期ゼロクロス信号生成部９の出力である同期ゼロクロス信号とゼロクロス信号生成部１（４）の出力であるゼロクロス信号１とを選択し、ゼロクロス信号として出力している。
【００５７】
図１０を用いて選択部１１の動作を説明する。
【００５８】
図１０（ｈ）は商用交流波形の真のゼロクロスポイントを示すパルスである。商用交流電源の周波数の安定度等により、真のゼロクロスポイントは常に一定ではなく、わずかに変化する。これに対し、図１０（ｂ）がゼロクロス信号生成部１（４）の出力である。
【００５９】
（ｂ）ゼロクロス信号１は商用交流電源電圧が歪んだりノイズ成分等の影響により余計なパルスが出力されたり、パルス幅が変化したり、全くパルスが出力されなかたったりする場合が有る。（ｄ）は同期ゼロクロス信号生成部９の出力である同期ゼロクロス信号である。（ｄ）同期ゼロクロス信号は本ゼロクロス信号発生装置内部で生成されたパルス信号であり、常に安定した周期、パルス幅で動作している。
【００６０】
選択部１１は、この安定した同期ゼロクロス信号を基準に、同期ゼロクロス信号が出力されている期間と、その前後の所定時間ｔｉを含んだ時間以外はマスク処理されており、パルスを出力しない構成になっている。図１０中（ｉ）の斜線部がマスク期間である。
【００６１】
このマスク処理により、（ｂ）ゼロクロス信号１の誤パルスは無視する事ができる。そして、マスクが解除されている期間において、（ｂ）ゼロクロス信号１と（ｄ）同期ゼロクロス信号のどちらか先にパルスが出力された方を、ゼロクロス信号として選択し出力している。その結果、図１０（ｉ）に於いて、Ａのマスク解除のタイミングでは（ｄ）が、同様にＢでも（ｄ）が、そして真のゼロクロスポイントが少し早まったＣでは（ｂ）が、さらに、（ｂ）ゼロクロス信号１が出力されなかったＤでは（ｄ）が選択されて、その結果（ｊ）選択部出力パルスが生成され、この信号を本ゼロクロス信号生成装置の出力として出力する。
【００６２】
この機能により、より商用交流電源のゼロクロスポイントと同期し、かつ安定的なゼロクロス信号の出力が可能となる。
【実施例３】
【００６３】
図１１は本発明の第二の実施形態を示した図である。
【００６４】
図１１に於いて前述の実施例１の図１〜８、実施例２の図９、１０、及び従来例の図１２〜１５と同一ないし相当する部材には同一符号を付し、その説明は省略するものとする。
【００６５】
実施例１で説明した図１のゼロクロス信号発生装置は常にゼロクロス信号発生装置内部で生成したパルス信号をゼロクロス信号として出力していた。
【００６６】
本実施形態は、従来方式により商用交流電圧と基準電圧の比較によって生成されたゼロクロス信号のゼロクロス信号誤検知状況をモニタし、その誤検知状況により、従来方式によるゼロクロス信号とゼロクロス信号発生装置内部で生成された同期ゼロクロス信号とを選択的に出力し、ゼロクロス信号を出力する場合の形態である。
【００６７】
図１０が本実施形態の構成を示すブロック図である。
【００６８】
図１０中符号１６周期検出部は図３で説明した様に、商用交流電源電圧に歪みやノイズがノイズが少なく、従来方式によるゼロクロス信号がきちんと出力されているかどうか判断している。そこで、従来方式によるゼロクロス信号（ゼロクロス信号生成部１の出力）が誤検知している状況をモニタし、その誤検知発生状況を誤検知状況信号として選択部１２へ出力する。
【００６９】
選択部１２は誤検知状況信号に応じて、誤検知の発生頻度が小さい時は、ゼロクロス信号生成部１（４）で生成された、商用交流電圧と基準電圧の比較による従来方式のゼロクロス信号１を選択して本ゼロクロス信号生成装置の出力として出力し、誤検知発生頻度が所定値以上に増加した場合は、同期ゼロクロス信号生成部９の出力である同期ゼロクロス信号を選択して本ゼロクロス信号生成装置の出力として出力する。
【００７０】
その結果、商用交流電源の周波数の安定度等により、真のゼロクロスポイントは常に一定ではなく変化した場合でも、商用交流電源電圧が歪みやノイズ成分の少ない期間は上記周波数変動に対しリアルタイムで応答する事ができ、かつ、商用交流電源電圧が歪みやノイズ成分の多い期間は安定したゼロクロス信号の出力が可能となる。
【図面の簡単な説明】
【００７１】
【図１】本発明の第１の実施形態に於けるゼロクロス信号発生装置の構成を示す図。
【図２】本発明の第１の実施形態に於ける動作を説明する図。
【図３】本発明の第１の実施形態に於ける動作を説明する図。
【図４】本発明の第１の実施形態に於ける動作を説明する図。
【図５】本発明の第１の実施形態に於ける動作を説明する図。
【図６】本発明の第１の実施形態に於ける動作を説明する図。
【図７】本発明の第１の実施形態に於ける動作を説明する図。
【図８】本発明の第１の実施形態に於ける動作を説明する図。
【図９】本発明の第２の実施形態に於けるゼロクロス信号発生装置の構成を示す図。
【図１０】本発明の第２の実施形態に於ける動作を説明する図。
【図１１】本発明の第２の実施形態に於けるゼロクロス信号発生装置の構成を示す図。
【図１２】従来のゼロクロス信号生成手法を説明する図。
【図１３】従来のゼロクロス信号生成手法を説明する図。
【図１４】従来のゼロクロス信号生成手法を説明する図。
【図１５】従来のゼロクロス信号生成手法を説明する図。
【符号の説明】
【００７２】
１  商用交流電源
２  スイッチ手段
３  負荷
４  ゼロクロス信号生成部１
５  ゼロクロス信号生成部２
６  周期検知部
７  パルス信号生成部
８  同期部
９  同期ゼロクロス信号生成部
１０  制御部
１１  選択部
１２  選択部
１６  周期検出部
【図１】
2005168163.tif 000003
【図２】
2005168163.tif 000004
【図３】
2005168163.tif 000005
【図４】
2005168163.tif 000006
【図５】
2005168163.tif 000007
【図６】
2005168163.tif 000008
【図７】
2005168163.tif 000009
【図８】
2005168163.tif 000010
【図９】
2005168163.tif 000011
【図１０】
2005168163.tif 000012
【図１１】
2005168163.tif 000013
【図１２】
2005168163.tif 000014
【図１３】
2005168163.tif 000015
【図１４】
2005168163.tif 000016
【図１５】
2005168163.tif 000017